(57)【要約】【課題】優れた熱拡散性能、長期耐用期間、高照度を達成可能な防水照明装置の提供。【解決手段】開口端１１、１２を有する透明円筒部１と、円筒部１内で開口端１１に隣接配置された位置決め基底部３１と、円筒部１内で開口端１２に隣接配置された位置決めスリーブ４１と、位置決め基底部３１・位置決めスリーブ４１間に配置された点灯装置２と、開口端１１内に圧入された蓋３２と、開口端１２内に圧入された蓋４２と、円筒部１・位置決め基底部３１・蓋３２間を液体密封するシールワッシャ３３と、円筒部１・位置決めスリーブ４１・蓋４２間を液体密封するシールワッシャ４３と、位置決めスリーブ４１に密閉差込みされた耐水プラグ５とを備え、点灯装置２は、取付基底部２１と、回路基板２３と、発光ダイオード２５及び集光部材２６を各々が有する複数の点灯ユニットと、駆動ユニット２８とを有する照明装置を提供する。【選択図】図１
0003121894.tif 000002
【実用新案登録請求の範囲】
【請求項１】
対向する第１開口端（１１）及び第２開口端（１２）を有する透明な円筒部（１）と、
前記円筒部（１）内に設置され、前記円筒部（１）の前記第１開口端（１１）に隣接して配置されており、前記円筒部（１）の内径よりわずかに小さい外径を有する管状の位置決め基底部（３１）と、
前記円筒部（１）内に設置され、前記円筒部（１）の前記第２開口端（１２）に隣接して配置されており、前記円筒部（１）の内径よりわずかに小さい外径を有する位置決めスリーブ（４１）と、
前記円筒部（１）内で前記位置決め基底部（３１）と前記位置決めスリーブ（４１）との間に配置された点灯装置（２，２’）と、
前記円筒部（１）の前記第１開口端（１１）内に圧入され、前記位置決め基底部（３１）に対して接する第１の蓋（３２）と、
前記円筒部（１）の前記第２開口端（１２）内に圧入され、前記位置決めスリーブ（４１）に対して接する、中央開口部（４２１）が形成された第２の蓋（４２）と、
前記円筒部（１）、前記位置決め基底部（３１）、及び前記第１の蓋（３２）の間に配置され、液体密封を確立するよう前記円筒部（１）、前記位置決め基底部（３１）、及び前記第１の蓋（３２）に対して接している第１シールワッシャ（３３）と、
前記円筒部（１）、前記位置決めスリーブ（４１）、及び前記第２の蓋（４２）の間に配置され、液体密封を確立するよう前記円筒部（１）、前記位置決めスリーブ（４１）、及び前記第２の蓋（４２）に対して接している第２シールワッシャ（４３）と、
前記第２の蓋（４２）の中央開口部（４２１）を貫通して延び、前記位置決めスリーブ（４１）に密閉して差し込まれた耐水プラグ（５）と、
を備え、
前記点灯装置（２，２’）は、
前記位置決め基底部（３１）と前記位置決めスリーブ（４１）との間に位置し、前記位置決め基底部（３１）と前記位置決めスリーブ（４１）とに対して接する取付基底部（２１，２１’）と、
該取付基底部（２１，２１’）に設置された回路基板（２３）と、
該回路基板（２３）上に設置された発光ダイオード（２５）、及び前記回路基板（２３）上に設置され前記発光ダイオード（２５）のまわりに配置された集光部材（２６）を各々が有する複数の点灯ユニットと、
前記円筒部（１）内に配置され、前記回路基板（２３）に電気的に接続され、前記点灯ユニットの前記発光ダイオード（２５）の起動のための外部電源に電気的に接続するのに適した駆動ユニット（２８）と、
を有することを特徴とする防水照明装置。
【請求項２】
前記点灯装置（２）は、前記取付基底部（２１）上に設置され前記位置決め基底部（３１）と前記位置決めスリーブ（４１）の間に配置された放熱プレート（２２）をさらに備え、
前記回路基板（２３）及び前記駆動ユニット（２８）は、前記放熱プレート（２２）上に設置され、該放熱プレート（２２）と熱接触していることを特徴とする請求項１に記載の防水照明装置。
【請求項３】
前記取付基底部（２１）は、前記円筒部（１）の軸方向（Ａ）に沿って延びる湾曲した細長いプレートの形をとり、内側面（２１０）と該内側面（２１０）から軸方向（Ａ）に垂直な方向（Ｂ）に互いに向かって延びる一対の係合フランジ（２１１）とを有し、
前記放熱プレート（２２）は、前記係合フランジ（２１１）の下に可動的に配置されていることを特徴とする請求項２に記載の防水照明装置。
【請求項４】
前記点灯装置（２’）は、前記取付基底部（２１’）上に設置され前記位置決め基底部（３１）と前記位置決めスリーブ（４１）との間に配置された第１放熱プレート（２２１）及び第２放熱プレート（２２２）をさらに備えており、
前記第１放熱プレート（２２１）は、前記第２放熱プレート（２２２）の上方に配置され、前記回路基板（２３）と熱接触し、
前記第２放熱プレート（２２２）は、前記駆動ユニット（２８）と熱接触していることを特徴とする請求項１に記載の防水照明装置。
【請求項５】
前記取付基底部（２１’）は、前記円筒部（１）の軸方向（Ａ）に沿って延びる湾曲した細長いプレートの形をとり、内側面（２１０’）と該内側面（２１０’）から軸方向（Ａ）に垂直な方向（Ｂ）に互いに向かって延びる一対の位置決めブロック（２１３）とを有しており、
該各位置決めブロック（２１３）は、軸方向（Ａ）に沿って延びる上部位置決め溝（２１４）と、該上部位置決め溝（２１４）の下に平行に配置された下部位置決め溝（２１５）とにより形成されており、
前記第１放熱プレート（２２１）は、前記取付基底部（２１’）の前記位置決めブロック（２１３）の前記上部位置決め溝（２１４）内で可動的に受け取られ、
前記第２放熱プレート（２２２）は、前記取付基底部（２１’）の前記位置決めブロック（２１３）の前記下部位置決め溝（２１５）内で可動的に受け取られていることを特徴とする請求項４に記載の防水照明装置。
【請求項６】
前記点灯装置（２，２’）の前記各点灯ユニットの前記集光部材（２６）は、
前記点灯装置（２，２’）の前記点灯ユニットの対応する前記発光ダイオード（２５）のまわりに固定して配置された中空のレンズ取付基底部（２６１）と、
前記レンズ取付基底部（２６１）に設置され、発生された光の集光のために前記点灯装置（２，２’）の前記点灯ユニットの対応する１つの前記発光ダイオード（２５）を前記レンズ取付基底部（２６１）と協働してカバーする集光レンズ（２６２）と、
を有することを特徴とする請求項１に記載の防水照明装置。
【考案の詳細な説明】
【技術分野】
【０００１】
本考案は、照明装置に関し、より詳細には、旋盤のような機械加工装置のための防水照明装置に関するものである。
【背景技術】
【０００２】
従来の機械加工装置用の防水照明装置は蛍光灯を備えている。
【考案の開示】
【考案が解決しようとする課題】
【０００３】
しかしながら、蛍光灯の耐用期間は約６０００時間だけであり、蛍光灯によって発生された光は効率よく集光されていない。したがって、本考案の課題は、優れた熱拡散性能およびより長期の耐用期間を有し、高光輝の照度を達成することができる防水照明装置を提供することである。
【課題を解決するための手段】
【０００４】
上記課題を解決するための手段として、本考案の耐水照明装置は、対向する第１開口端及び第２開口端を有する透明な円筒部と、前記円筒部内に設置され、前記円筒部の前記第１開口端に隣接して配置されており、前記円筒部の内径よりわずかに小さい外径を有する管状の位置決め基底部と、前記円筒部内に設置され、前記円筒部の前記第２開口端に隣接して配置されており、前記円筒部の内径よりわずかに小さい外径を有する位置決めスリーブと、前記円筒部内で前記位置決め基底部と前記位置決めスリーブとの間に配置された点灯装置と、前記円筒部の前記第１開口端内に圧入され、前記位置決め基底部に対して接する第１の蓋と、前記円筒部の前記第２開口端内に圧入され、前記位置決めスリーブに対して接する、中央開口部が形成された第２の蓋と、前記円筒部、前記位置決め基底部、及び前記第１の蓋の間に配置され、液体密封を確立するよう前記円筒部、前記位置決め基底部、及び前記第１の蓋に対して接している第１シールワッシャと、前記円筒部、前記位置決めスリーブ、及び前記第２の蓋の間に配置され、液体密封を確立するよう前記円筒部、前記位置決めスリーブ、及び前記第２の蓋に対して接している第２シールワッシャと、前記第２の蓋の中央開口部を貫通して延び、前記位置決めスリーブに密閉して差し込まれた耐水プラグと、備え、前記点灯装置は、前記位置決め基底部と前記位置決めスリーブとの間に位置し、前記位置決め基底部と前記位置決めスリーブとに対して接する取付基底部と、該取付基底部に設置された回路基板と、該回路基板上に設置された発光ダイオード、及び前記回路基板上に設置され前記発光ダイオードのまわりに配置された集光部材を各々が有する複数の点灯ユニットと、前記円筒部内に配置され、前記回路基板に電気的に接続され、前記点灯ユニットの前記発光ダイオードの起動のための外部電源に電気的に接続するのに適した駆動ユニットと、を有することを特徴とする。
【０００５】
前記点灯装置は、前記取付基底部上に設置され前記位置決め基底部と前記位置決めスリーブの間に配置された放熱プレートをさらに備え、前記回路基板及び前記駆動ユニットは、前記放熱プレート上に設置され、該放熱プレートと熱接触していることが好ましい。前記取付基底部は、前記円筒部の軸方向に沿って延びる湾曲した細長いプレートの形をとり、内側面と該内側面から軸方向に垂直な方向に互いに向かって延びる一対の係合フランジとを有し、前記放熱プレートは、前記係合フランジの下に可動的に配置されているように構成することもできる。
【０００６】
または、前記点灯装置は、前記取付基底部上に設置され前記位置決め基底部と前記位置決めスリーブとの間に配置された第１放熱プレート及び第２放熱プレートをさらに備えており、前記第１放熱プレートは、前記第２放熱プレートの上方に配置され、前記回路基板と熱接触し、前記第２放熱プレートは、前記駆動ユニットと熱接触していることが好ましい。前記取付基底部は、前記円筒部の軸方向に沿って延びる湾曲した細長いプレートの形をとり、内側面と該内側面から軸方向に垂直な方向に互いに向かって延びる一対の位置決めブロックとを有しており、該各位置決めブロックは、軸方向に沿って延びる上部位置決め溝と、該上部位置決め溝の下に平行に配置された下部位置決め溝とにより形成されており、前記第１放熱プレートは、前記取付基底部の前記位置決めブロックの前記上部位置決め溝内で可動的に受け取られ、前記第２放熱プレートは、前記取付基底部の前記位置決めブロックの前記下部位置決め溝内で可動的に受け取られているよう構成することができる。
【０００７】
また、前記点灯装置の前記各点灯ユニットの前記集光部材は、前記点灯装置の前記点灯ユニットの対応する前記発光ダイオードのまわりに固定して配置された中空のレンズ取付基底部と、前記レンズ取付基底部に設置され、発生された光の集光のために前記点灯装置の前記点灯ユニットの対応する１つの前記発光ダイオードを前記レンズ取付基底部と協働してカバーする集光レンズと、を有することが好ましい。
【考案の効果】
【０００８】
放熱プレートにより、駆動ユニットおよび発光ダイオードによって発生した熱を拡散させることができる。
【０００９】
また、約１００，０００時間の耐用期間を有する発光ダイオードの使用により、前述の従来の照明装置と比較して、本考案の照明装置はより長期の耐用期間を有する。
【００１０】
さらには、集光レンズおよび回折格子基底部により、照明装置は高光輝の照度を達成することができる。
【考案を実施するための最良の形態】
【００１１】
図１、２および４に示すように、本考案に係る照明装置の第１実施形態は、透明な円筒部１、管状の位置決め基底部３１、位置決めスリーブ４１、点灯装置２、第１の蓋３２、第２の蓋４２、第１シールワッシャ３３、第２シールワッシャ４３および耐水のプラグ５を備えている。
【００１２】
透明な円筒部１は、対向する第１開口端１１及び第２開口端１２を有している。
【００１３】
管状の位置決め基底部３１は円筒部１内に設置され、円筒部１の第１開口端１１に隣接して配置されている。位置決め基底部３１は円筒部１の内径よりわずかに小さな外径を有している。本実施形態では、位置決め基底部３１は、内壁面３１１と、互いに向かって延びる一対の係合フランジ３１２（図２では１つだけが見えている）とを有している。
【００１４】
位置決めスリーブ４１は、円筒部１内に設置され、円筒部１の第２開口端１２に隣接して配置されている。位置決めスリーブ４１は円筒部１の内径よりわずかに小さな外径を有している。本実施形態では、位置決め基底部３１と同様に、位置決めスリーブ４１は、内壁面４１１と、互いに向かって延びる一対の係合フランジ４１２とを有する（図１参照）。
【００１５】
点灯装置２は、円筒部１内で、位置決め基底部３１と位置決めスリーブ４１との間に配置されている。点灯装置２は、取付基底部２１、回路基板２３、複数の点灯ユニットおよび駆動ユニット２８を備えている。
【００１６】
取付基底部２１は、位置決め基底部３１と位置決めスリーブ４１との間に配置され、位置決め基底部３１および位置決めスリーブ４１に対して接している。本実施形態では、取付基底部２１は、アルミニウムで作られており、円筒部１の軸方向（Ａ）に沿って延びる湾曲した細長いプレートの形状をしている。取付基底部２１は、内部表面２１０と、軸方向（Ａ）に垂直な方向（Ｂ）で互いに向かって内側面２１０から延びる一対の係合フランジ２１１とを有している（図３参照）。
【００１７】
本実施形態では、点灯装置２はさらに、取付基底部２１上に設置され位置決め基底部３１と位置決めスリーブ４１との間に配置された放熱プレート２２を備えている。図２で示されるように、放熱プレート２２は、取付基底部２１の係合フランジ２１１、位置決め基底部３１の係合フランジ３１２および位置決めスリーブ４１の係合フランジ４１２の下に可動的に配置されている。
【００１８】
本実施形態では、回路基板２３は、放熱プレート２２と熱接触するように、耐熱接着剤２２０により放熱プレート２２上に設置されている。
【００１９】
点灯ユニットの各々は、回路基板２３上に設置された発光ダイオード２５と、回路基板２３上に設置され発光ダイオード２５のまわりに配置された集光部材２６とを有している。本実施形態では、各点灯ユニットのため、集光部材２６は、耐熱接着剤２６０によって発光ダイオード２５のまわりに固定して配置された中空のレンズ取付基底部２６１と、レンズ取付基底部２６１に設置されレンズ取付基底部２６１と協働して発生された光を集光するよう発光ダイオード２５をカバーする集光レンズ２６２とを有している。
【００２０】
駆動ユニット２８は、円筒部１内に配置され、回路基板２３に電気的に接続され、公知の方法で点灯ユニットの発光ダイオード２５を起動するための電源コード２７によって外部電源（図示省略）に電気的に結合するのに適している。本実施形態では、駆動ユニット２８は、放熱プレート２２上に設置されて、放熱プレート２２に熱接触している。
【００２１】
図２で示されるように、第１の蓋３２は、円筒部１の第１開口端１１内に圧入され、位置決め基底部３１に接し、またネジ（１つだけが示されている）によって位置決め基底部３１に結合されている。
【００２２】
図２で示されるように、第２の蓋４２は、円筒部１の第２開口端１２内に圧入され、位置決めスリーブ４１に接し、ネジ（１つだけが示される）によって位置決めスリーブ４１に結合されている。第２の蓋４２は、中央開口部４２１が形成されている。
【００２３】
図２で示されるように、第１シールワッシャ３３は、円筒部１、位置決め基底部３１および第１の蓋３２の間に配置され、円筒部１、位置決め基底部３１および第１の蓋３２に対して接し、液体密封をこれらの間で確立している。
【００２４】
図２で示されるように、第２シールワッシャ４３は、円筒部１、位置決めスリーブ４１および第２の蓋４２の間に配置され、円筒部１、位置決めスリーブ４１および第２の蓋４２に対して接し、液体密封をこれらの間で確立している。
【００２５】
耐水プラグ５は、第２の蓋４２の開口部４２１を通って延び、位置決めスリーブ４１に密閉して差し込まれている。耐水プラグ５は、電源コード２７がそれを通って延びるよう、貫通孔５１を有している。
【００２６】
本実施形態では、湾曲カバー６３が、取付基底部２１上に設置されて、駆動ユニット２８の上方に配置されている。Ｕ字型の回折格子基底部６は取付基底部２１上に設置されて、点灯ユニットの上方に配置されている。
【００２７】
図５および６は、第１実施形態の変形である本考案に係る照明装置の第２実施形態を図示する。本実施形態では、図６で示されるように、取付基底部２１’は円筒部１の軸方向（Ａ）に沿って延びる湾曲した細長いプレートの形をとっている。取付基底部２１’は、内側面２１０’と、内側面２１０から軸方向に垂直な方向（Ｂ）で互いの方へ延びる一対の位置決めブロック２１３とを有している。各位置決めブロック２１３は、軸方向（Ａ）に沿って延びる上部位置決め溝２１４と、上部位置決め溝２１４の下で平行に配置された下部位置決め溝２１５とで形成されている。
【００２８】
図６で示されたように、点灯装置２’は、取付基底部２１’上に設置され位置決め基底部３１と位置決めスリーブ４１との間に配置した第１放熱プレート２２１及び第２放熱プレート２２２をさらに備えている。第１放熱プレート２２１は、第２放熱プレート２２２の上方に配置され、取付基底部２１’の位置決めブロック２１３の上部位置決め溝２１４内に可動的に受け取られ、回路基板２３と熱接触している。第２放熱プレート２２２は、取付基底部２１’の位置決めブロック２１３の下部位置決め溝２１５内に可動的に受け取られ、駆動ユニット２８と熱接触している。
【００２９】
以上、本考案の実施形態について説明したが、本考案はこれらに限定されるものではなく、本考案の趣旨を逸脱しない限りにおいて種々の変更が可能である。
【図面の簡単な説明】
【００３０】
【図１】図１は、本考案に記載の照明装置の第１の好ましい実施形態を示す部分分解斜視図である。
【図２】第１実施形態の円筒部の軸方向に沿った部分的概略断面図である。
【図３】第１実施形態の垂直方向に沿った概略断面図である。
【図４】第１実施形態の概略図である。
【図５】本考案に記載の照明装置の第２実施形態を示す斜視図である。
【図６】図６は第２実施形態の概略断面図である。
【符号の説明】
【００３１】
１  円筒部
１１  第１開口端
１２  第２開口端
２、２’  点灯装置
２１、２１’  取付基底部
２３  回路基板
２５  発光ダイオード
２６  集光部材
２８  駆動ユニット
３１  位置決め基底部
３２  第１の蓋
３３  第１シールワッシャ
４１  位置決めスリーブ
４２  第２の蓋
４２１  中央開口部
４３  第２シールワッシャ
５  耐水プラグ
【図１】
0003121894.tif 000003
【図２】
0003121894.tif 000004
【図３】
0003121894.tif 000005
【図４】
0003121894.tif 000006
【図５】
0003121894.tif 000007
【図６】
0003121894.tif 000008